(57)【要約】  本発明によれば、容器と、前縁（４）及び後縁（５）並びに左側縁（６）及び右側縁（７）を有する蓋アセンブリ（１）と、少なくとも３つのロック装置（８）と、を備えた子供阻止パッケージであって、ロック装置（８）の少なくとも１つが、前縁（４）に位置付けけられ、少なくとも第２のロック装置（８）が、左側縁（６）及び／又は右側縁（７）のいずれかに位置付けられ、少なくとも１つのロック装置（８）が、前縁（４）又は後縁（５）と左側縁（６）又は右側縁（７）との交点角部（９）に近接して位置付けられる、子供阻止パッケージが提供される。
2015536286.tif 000002
【特許請求の範囲】
【請求項１】
容器と、前縁及び後縁並びに左側縁及び右側縁を有する蓋アセンブリと、少なくとも３つのロック装置と、を備えた子供阻止パッケージであって、前記ロック装置の少なくとも１つが、前記前縁に位置付けられ、少なくとも第２のロック装置が、前記左側縁及び／又は前記右側縁のいずれかに位置付けられ、少なくとも１つのロック装置が、前縁又は後縁と左側縁又は右側縁との交点角部に近接して位置付けられる、子供阻止パッケージ。
【請求項２】
前記蓋アセンブリが、蓋とフレームとを含む、請求項１に記載のパッケージ。
【請求項３】
前記蓋と前記フレームとが、ヒンジを介して互いに取り付けられる、請求項１又は２に記載のパッケージ。
【請求項４】
前記ロック装置が、少なくとも２つの協働する部品を含み、少なくとも一方の部品が前記蓋アセンブリに位置付けられる、請求項１〜３のいずれか一項に記載のパッケージ。
【請求項５】
前記ロック装置が、穴及びフック式ラッチ、摩擦式ラッチ、ヒンジ式ラッチ、並びにこれらの組み合わせからなる群から選択される、請求項１〜４のいずれか一項に記載のパッケージ。
【請求項６】
交点角部に近接して位置付けられる前記ロック装置が、前記側縁の長さの最初又は最後の１／３の範囲内に位置付けられる、請求項１〜５のいずれか一項に記載のパッケージ。
【請求項７】
交点角部に近接して位置付けられる前記ロック装置が、前記側縁の長さの最初又は最後の１／４の範囲内に位置付けられる、請求項１〜６のいずれか一項に記載のパッケージ。
【請求項８】
前記蓋アセンブリが、前記左側縁及び前記右側縁上の少なくとも１つのロック装置であって、いずれも前記蓋アセンブリの前縁又は後縁と側縁との交点に近接した少なくとも１つのロック装置を含む、請求項１〜７のいずれか一項に記載のパッケージ。
【請求項９】
前記蓋アセンブリが、前記後縁に沿ってヒンジを介して取り付けられたフレームと蓋とを含み、前記前縁が少なくとも２つのロック装置を有し、前記左側縁又は前記右側縁が、前記蓋アセンブリの前縁又は後縁と側縁との交点に近接した少なくとも１つのロック装置を有する、請求項１〜８のいずれか一項に記載のパッケージ。
【請求項１０】
前記蓋アセンブリが、前記後縁に沿ってヒンジを介して取り付けられたフレームと蓋とを含み、前記前縁が少なくとも２つのロック装置を有し、前記左側縁及び前記右側縁が、いずれも前記蓋アセンブリの前縁又は後縁と側縁との交点に近接した少なくとも１つのロック装置を有する、請求項１〜９のいずれか一項に記載のパッケージ。
【発明の詳細な説明】
【技術分野】
【０００１】
本発明は、子供がパッケージを開封することを阻止するように設計されたロックシステムを備えたパッケージに関する。
【背景技術】
【０００２】
家庭用製品は、開口部、また概して閉鎖機構を有する容器に入れられて、消費者に提供される。製品の形態に応じて、容器は、例えばボトル、箱、又はカップであり得る。本発明は、内部の製品を取り出すために手を入れるのに適したカップ及び箱の形態である、広い開口部を有するパッケージに関する。したがって、こうした容器は、例えば一体成形された服用単位又は粉末などの製品を入れるのに適している。
【０００３】
圧縮粉末の錠剤及び水溶性フィルムのパウチのような一体成形された服用単位製品は、用量の誤用がなく、飛び散ることがない、便宜のよい用量サイズを消費者に与えることから近年では益々普及している。このような容器及び閉鎖部材は、内部の製品に子供が触れることを阻止するように、容器の開封の複雑さを高めるためのロック機構を有することが好ましい。今日、市場に流通している容器は、容器の前面及び閉鎖部材にロックシステムを有している。しかしながら、閉鎖部材を容器に固定する更なる方法を特定するのが本研究の課題である。
【０００４】
詳細には、本出願人は、使用される材質が曲げられるものである場合、閉鎖部材は、子供にすら容易に開けられるものとみなされ得ることを見出したものである。本出願人らは、子供阻止機能を高めるために、パッケージの容器及び閉鎖部材又は蓋アセンブリを再設計することを試みたものである。
【発明の概要】
【発明が解決しようとする課題】
【０００５】
本発明によれば、容器と、前縁及び後縁並びに左側縁及び右側縁を有する蓋アセンブリと、少なくとも３つのロック装置と、を備えた子供阻止パッケージであって、ロック装置の少なくとも１つが、前縁に位置付けられ、少なくとも第２のロック装置が、左側縁及び／又は右側縁のいずれかに位置付けられ、少なくとも１つのロック装置が、前縁又は後縁と左側縁又は右側縁との交点角部に近接して位置付けられる、子供阻止パッケージが提供される。
【図面の簡単な説明】
【０００６】
【図１】蓋アセンブリのフレームの斜視図を示す。
【図２】蓋アセンブリの蓋の斜視図を示す。
【発明を実施するための形態】
【０００７】
本発明のパッケージは、容器を開封するのに必要とされる動作の複雑さを高めることによって、子供が前記容器を開封することを阻止するように設計されたものである。容器は、任意の適当なサイズ又は形状であってよい。容器は、容器開口部にフランジを有することが好ましい。容器は、下方に曲がったフランジを有することがより好ましい。容器は、任意の適当な材料で形成することができる。好ましくは、容器は、ポリプロピレン、高密度及び低密度ポリエチレン、ポリエチレンテレフタレート、ポリスチレン、及びこれらの混合物をからなる。より好ましくは、容器はポリスチレンからなる。容器の製造方法は本発明の不可欠な要件ではなく、したがって、任意の便宜のよい従来の方法によって製造することができる。好ましくは、容器は熱成形によって製造される。容器は、使用者がそこから製品を取り出すことができる開口部を有する。開口部は、使用者の手が入るような充分な大きさであることが好ましい。開口部の形状は、蓋アセンブリと協働するような設計となっている。
【０００８】
蓋アセンブリ（１）は、容器の開口部を閉じるように設計された蓋閉鎖機構を有している。蓋アセンブリは、前縁（４）及び後縁（５）、並びに左側縁（６）及び右側縁（７）を有している。蓋アセンブリは、好ましくは正方形、より好ましくは長方形である。蓋アセンブリが長方形である場合、前壁部及び後壁部が蓋アセンブリのより長い辺を構成する。蓋アセンブリは、任意の適当な材料を用いて作製することができる。好ましくは、蓋アセンブリは、ポリプロピレン、高密度及び低密度ポリエチレン、ポリエチレンテレフタレート、及びこれらの混合物からなる。最も好ましくは、蓋アセンブリはポリプロピレンからなる。蓋アセンブリは、任意の適当な従来の方法を用いて製造することができる。蓋アセンブリは、好ましくは、射出成形によって製造される。
【０００９】
好ましくは、蓋アセンブリは、蓋（２）とフレーム（３）とを含む。フレームは、側縁部及び縁部の外周を形成し、容器の開口部と協働するような設計となっている。そのため、フレームは正方形又は長方形の形状であることが好ましい。フレームは、任意の適当な方法によって容器に取り付けることができる。好ましい一実施形態では、容器は開口部においてフランジ、好ましくは下方に曲がったフランジを有する。フレーム（３）は、容器の開口部と近密に協働する逆「Ｕ」字状の外周を有している。フレーム（３）は、好ましくはスナップ嵌め又はビードを含む摩擦取付け機構を更に有することが好ましい。スナップ嵌め又はビードは、容器のフランジの下で定位置にロックすることで、フレームを容器に対して固定された状態に維持するような設計となっている。前記摩擦取付け部は、フレームの外周に沿って断続的な位置に位置付けてもよく、あるいは外周全体にわたって存在してもよい。前記摩擦取付け部は、フレームを容器にしっかりとロックし、その結果、取り外しにくくなっている。好ましくは、蓋（２）及びフレーム（３）は、蓋アセンブリの後縁（５）に沿ってヒンジを介して取り付けられる。
【００１０】
蓋アセンブリ（１）の蓋（２）はフレーム（３）と協働するため、同様の形状を有することが好ましい。しかしながら、蓋は、フレームと同じ形状を有する必要は必ずしもない。しかしながら、蓋がフレームと同じ形状を有するか否かによらず、蓋アセンブリは、容器の開口部を閉じるように、全体として充分に協働しなければならない。
【００１１】
蓋アセンブリは、少なくとも３つのロック装置（８）を含む。少なくとも１つのロック装置（８）が、前縁（４）及び／又は後縁（５）に位置付けられる。より好ましくは、２つ以上のロック装置が前縁（４）及び／又は後縁（５）に位置付けられる。２つ以上のロック装置が前縁及び／又は後縁に位置付けられる場合、これらは縁部に沿った任意の点に、互いに近位又は遠位に位置付けることができる。より好ましくは、各ロック装置は、互いに近接して位置付けられる。
【００１２】
また、少なくとも１つのロック装置（８）が、左側縁（６）及び／又は右側縁（７）のいずれかに、蓋アセンブリの前縁又は後縁と側縁との交点（９、９’、９’’、９’’’）に近接して位置付けられている。より好ましくは、本発明のパッケージは、左側縁（６）及び右側縁（７）に、いずれも蓋アセンブリの前縁又は後縁と側縁との交点（９、９’、９’’、９’’’）に近接した少なくとも１つのロック装置（８）を有する。特に好ましい一実施形態では、蓋アセンブリ（１）は、後縁（５）に沿ってヒンジを介して取り付けられたフレーム（３）と蓋（２）とを含み、前縁（４）は少なくとも１つ、好ましくは少なくとも２つのロック装置（８）を有し、左側縁（６）又は右側縁（７）、好ましくは左側縁（６）及び右側縁（７）が、蓋アセンブリの前縁又は後縁と側縁との交点（９、９’、９’’、９’’’）に近接した少なくとも１つのロック装置（８）を有する。
【００１３】
出願人らは、適当な蓋を製造するために使用される材料は、ある程度の可撓性を有し得ることを見出した。蓋アセンブリの材料の可撓性は、開くために力だけでなく複数の動作を必要とするロック装置を可能とすることから、製造者にとって有用である。例えば、使用者は、容器を開封するためには引っ張って持ち上げなければならない。このような必要とされる複数の動作の複雑さは、容器を子供にとってより開けにくいものとする一方で、大人、特に手の動き又は強さが制限された大人にとっては依然、扱えるものとなっている。好ましくは、蓋又は蓋アセンブリの側縁上のロック装置は、側縁の長さの最初又は最後の１／３の範囲内に位置付けられる。より好ましくは、蓋又は蓋アセンブリの側縁上のロック装置は、側縁の長さの最初又は最後の１／４の範囲内に位置付けられる。ロック装置が両方の側縁上にある場合、これらはいずれも側縁と前縁との交点又は側縁と後縁との交点に近接して位置付けることができ、これによりロック装置の対称的な配置が与えられる。あるいは、両方の側縁上にあるロック装置は、一方が側縁と前縁との交点に近接して位置付けられ、他方が側縁と後縁とに近接して位置付けられるようにして、非対称的に配置することもできる。
【００１４】
ロックは、少なくとも一方の部品が蓋アセンブリに位置付けられる少なくとも２つの部品を含む装置とすることが好ましい。一実施形態では、蓋アセンブリ上のロック装置は、容器、より好ましくは容器のフランジと嵌まり合う。蓋アセンブリが蓋とフレームとを含む代替的かつ好ましい一実施形態では、蓋は、フレームの対応する領域と協働するロック装置の一部分を構成する。ロック装置は、市場に流通しているあらゆる公知かつ適当なロック装置から選択することができる。好ましくは、前記ロック装置は、穴（１０）及びフック（１１）式ラッチ、摩擦式ラッチ、ヒンジ式ラッチ、並びにこれらの組み合わせからなる群から選択される。穴（１０）及びフック（１１）式ラッチは、外側に、かつ場合により下方に突出するフック（１１）と、対応する穴（１１）とで構成され、フックと穴とは互いに嵌め付けられると、蓋の材料を強制的に曲げてフックを解放しないかぎりフックと穴とを分離することはできない。この好ましい実施形態では、フックがフレーム（３）に位置付けられ、穴が蓋（２）に位置付けられることが好ましいが、逆もまた考えられる。摩擦ラッチは、畝状突起の下側と連結される突出隆起又はビードを含み、ロックがかけられると、ビードが上方に動くことが防止される。蓋は、摩擦に打ち勝つように蓋を強制的に曲げることによって開かれる。ヒンジ式ラッチは、一方の部品が他方に対してヒンジ連結され、ロックを開くには一方の部品をヒンジを中心として開く点以外は、上記のロック装置の両方と同様に機能する。
【００１５】
本明細書に開示した寸法及び値は、記載された正確な数値に厳密に限定されるものとして理解されるべきではない。むしろ、特に断らないかぎり、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【図１】
2015536286.tif 000003
【図２】
2015536286.tif 000004
【国際調査報告】
2015536286.tif 000005
2015536286.tif 000006